(57)【要約】【課題】ビューファインダにおいて、良好な像を確保しながら、搭載されるカメラの小型化、特にカメラの薄型化を可能にする。【解決手段】ビューファインダ（１０）は、表示部（１）に表示される情報を拡大して観察するための観察光学系（２）を備える。観察光学系（２）は光路を折り曲げる光路折曲部材（３）を有する。また、ビューファインダ（１０）は、最大画角の主光線（４）、（５）と表示部（１）とのなす角度が９０±５度となるように構成されている。【選択図】図１
2012086160.tif 000002
【特許請求の範囲】
【請求項１】
表示部に表示される情報を拡大して観察するための観察光学系を備えたビューファインダにおいて、
前記観察光学系が光路を折り曲げる光路折曲部材を有し、
最大画角の主光線と前記表示部とのなす角度が９０±５度であることを特徴とするビューファインダ。
【請求項２】
前記表示部と前記光路折曲部材との間に、光軸方向に移動することにより視度補正を行う正レンズ群を有し、
該正レンズ群の焦点距離をｆｃとし、前記観察光学系の焦点距離をｆＬとしたとき、下記条件式（１）を満たすことを特徴とする請求項１記載のビューファインダ。
１．６０＜ｆｃ／ｆＬ＜２．５０  …  （１）
【請求項３】
前記光路折曲部材よりアイポイント側に前記光路折曲部材に対して固定されている１枚の正レンズを有し、
該正レンズの焦点距離をｆｅとし、前記観察光学系の焦点距離をｆＬとしたとき、下記条件式（２）を満たすことを特徴とする請求項１または２記載のビューファインダ。
１．５＜ｆｅ／ｆＬ＜４．０  …  （２）
【請求項４】
前記観察光学系における最も表示部側のレンズは、表示部側の面よりもアイポイント側の面の方が曲率半径の絶対値が小さく、
前記最も表示部側のレンズの焦点距離をｆｏとし、前記観察光学系の焦点距離をｆＬとしたとき、下記条件式（３）を満たすことを特徴とする請求項１から３のいずれか１項記載のビューファインダ。
−１．５＜ｆｏ／ｆＬ＜−０．９５  …  （３）
【請求項５】
正レンズと負レンズとの貼り合わせからなり、視度補正の際に固定されている接合レンズを有し、
該接合レンズを構成する前記正レンズ、負レンズのｄ線に関するアッベ数をそれぞれνｐｋ、νｎｋとし、前記接合レンズの接合面の曲率半径の絶対値をＲｃｋとし、前記観察光学系の焦点距離をｆＬとしたとき、下記条件式（４）を満たすことを特徴とする請求項１から４のいずれか１項記載のビューファインダ。
２５＜（νｐｋ−νｎｋ）／（Ｒｃｋ／ｆＬ）＜４０  …  （４）
【請求項６】
正レンズと負レンズとの貼り合わせからなり、視度補正の際に移動する接合レンズを有し、
該接合レンズを構成する前記正レンズ、負レンズのｄ線に関するアッベ数をそれぞれνｐｓ、νｎｓとし、前記接合レンズの接合面の曲率半径の絶対値をＲｃｓとし、前記観察光学系の焦点距離をｆＬとしたとき、下記条件式（５）を満たすことを特徴とする請求項１から４のいずれか１項記載のビューファインダ。
４０＜（νｐｓ−νｎｓ）／（Ｒｃｓ／ｆＬ）＜５０  …  （５）
【請求項７】
請求項１から６のいずれか１項に記載のビューファインダを備えたことを特徴とするカメラ。
【発明の詳細な説明】
【技術分野】
【０００１】
本発明は、ビューファインダおよびカメラに関し、より詳しくは、液晶表示素子等に表示される情報を拡大観察するビューファインダおよび該ビューファインダを搭載したカメラに関するものである。
【背景技術】
【０００２】
従来、カメラのファインダ装置において、液晶表示素子に撮影条件等の情報を表示させ、その表示画面をルーペと同様の原理で拡大観察する構成のものが種々提案されている。例えば下記特許文献１には、液晶パネルに表示された画像情報を正の屈折力の接眼レンズを介して観察するファインダ装置が記載されている。
【先行技術文献】
【特許文献】
【０００３】
【特許文献１】特開平７−２８１２５６号公報
【発明の開示】
【発明が解決しようとする課題】
【０００４】
ところで、近年では、カメラの小型化が強く要望されており、特に厚さ方向の小型化が注目されるようになってきている。しかしながら、従来のビューファインダは、液晶表示素子等の表示部から観察者の眼までを一直線上に配置したものが主流であったため、カメラの薄型化を図る際に、ビューファインダの構成も課題となっていた。ビューファインダを構成するレンズ枚数を削減すれば小型化は容易であるが、それでは観察像の画質が低下してしまう。従前のファインダ装置では視野枠や測距用のターゲットマークのみを表示するものが多かったが、近年の液晶表示素子を用いたビューファインダでは、撮像した画像を表示するものが増えてきており、そのために良好な像が得られることも重要となっている。【０００５】
本発明は、上記事情に鑑みてなされたもので、良好な像を確保しながら、搭載されるカメラの小型化、特にカメラの薄型化が可能なビューファインダ、該ビューファインダを備えたカメラを提供することを目的とするものである。
【課題を解決するための手段】
【０００６】
本発明のビューファインダは、表示部に表示される情報を拡大して観察するための観察光学系を備えたビューファインダにおいて、観察光学系が光路を折り曲げる光路折曲部材を有し、最大画角の主光線と表示部とのなす角度が９０±５度であることを特徴とするものである。【０００７】
なお、表示部としては、例えば、液晶表示素子の表示画面を挙げることができる。【０００８】
なお、最大画角の主光線とは、最大画角の光束に含まれる光線のうち、設計時に設定したアイポイントにおいて光軸と交わる光線を意味する。【０００９】
本発明のビューファインダにおいては、表示部と光路折曲部材との間に、光軸方向に移動することにより視度補正を行う正レンズ群を有し、該正レンズ群の焦点距離をｆｃとし、観察光学系の焦点距離をｆＬとしたとき、下記条件式（１）を満たすことが好ましい。
１．６０＜ｆｃ／ｆＬ＜２．５０  …  （１）【００１０】
なお、視度補正を行う正レンズ群は、１枚のレンズのみで構成されるものでもよく、複数枚のレンズで構成されるものでもよい。【００１１】
本発明のビューファインダにおいては、光路折曲部材よりアイポイント側に光路折曲部材に対して固定されている１枚の正レンズを有し、該正レンズの焦点距離をｆｅとし、観察光学系の焦点距離をｆＬとしたとき、下記条件式（２）を満たすことが好ましい。
１．５＜ｆｅ／ｆＬ＜４．０  …  （２）【００１２】
本発明のビューファインダにおいては、最も表示部側のレンズは、表示部側の面よりもアイポイント側の面の方が曲率半径の絶対値が小さく、最も表示部側のレンズの焦点距離をｆｏとし、観察光学系の焦点距離をｆＬとしたとき、下記条件式（３）を満たすことが好ましい。
−１．５＜ｆｏ／ｆＬ＜−０．９５  …  （３）【００１３】
本発明のビューファインダにおいては、正レンズと負レンズとの貼り合わせからなり、視度補正の際に固定されている接合レンズを有するように構成してもよく、その場合は、該接合レンズを構成する正レンズ、負レンズのｄ線に関するアッベ数をそれぞれνｐｋ、νｎｋとし、接合レンズの接合面の曲率半径の絶対値をＲｃｋとし、観察光学系の焦点距離をｆＬとしたとき、下記条件式（４）を満たすことが好ましい。
２５＜（νｐｋ−νｎｋ）／（Ｒｃｋ／ｆＬ）＜４０  …  （４）【００１４】
あるいは、本発明のビューファインダにおいては、正レンズと負レンズとの貼り合わせからなり、視度補正の際に移動する接合レンズを有するように構成してもよく、その場合は、該接合レンズを構成する正レンズ、負レンズのｄ線に関するアッベ数をそれぞれνｐｓ、νｎｓとし、接合レンズの接合面の曲率半径の絶対値をＲｃｓとし、観察光学系の焦点距離をｆＬとしたとき、下記条件式（５）を満たすことが好ましい。
４０＜（νｐｓ−νｎｓ）／（Ｒｃｓ／ｆＬ）＜５０  …  （５）【００１５】
なお、上記条件式（１）〜（５）の対応値の算出において、光路中にプリズム等の屈折力を持たない光学部材が存在するときは、その屈折力を持たない光学部材の厚みを空気換算して計算するものとする。【００１６】
なお、上記のレンズの屈折力に関する正、負は、当該レンズが非球面レンズの場合は、近軸領域で考えるものとする。【００１７】
本発明のカメラは、上記記載の本発明のビューファインダを備えたことを特徴とするものである。
【発明の効果】
【００１８】
本発明のビューファインダによれば、光路を折り曲げることで、レンズ枚数を削減することなく、従来の表示部から観察者の眼までを一直線上に配置したものに比べて、カメラに搭載された際のカメラの厚み方向の長さを短縮化することができる。さらに、本発明のビューファインダによれば、カメラの厚み方向の長さを増大させることなく、レンズ枚数を増やすことも可能であるため、より良好な像を得ることも可能となる。また、本発明のビューファインダによれば、最大画角の主光線と表示部とのなす角度が９０±５度となるように構成することで、表示部が角度依存性を有する場合でも良好な像を得ることが可能となる。【００１９】
本発明のカメラによれば、本発明のビューファインダを備えているため、ファインダでの良好な観察像を確保しながら、装置の薄型化を図ることが可能となる。
【図面の簡単な説明】
【００２０】
【図１】本発明の第１の実施形態のビューファインダの構成を示す断面図
【図２】本発明の実施形態にかかるカメラの概略構成を示す斜視図
【図３】本発明の実施例１のビューファインダの構成を示す断面図
【図４】本発明の実施例２のビューファインダの構成を示す断面図
【図５】本発明の実施例３のビューファインダの構成を示す断面図
【図６】本発明の実施例４のビューファインダの構成を示す断面図
【図７】本発明の実施例５のビューファインダの構成を示す断面図
【図８】本発明の実施例６のビューファインダの構成を示す断面図
【図９】本発明の実施例７のビューファインダの構成を示す断面図
【図１０】本発明の実施例８のビューファインダの構成を示す断面図
【図１１】本発明の実施例９のビューファインダの構成を示す断面図
【図１２】本発明の実施例１０のビューファインダの構成を示す断面図
【図１３】本発明の実施例１のビューファインダの観察光学系の各収差図であり、（Ａ）は球面収差図、（Ｂ）は非点収差図、（Ｃ）は歪曲収差図、（Ｄ）は倍率色収差図
【図１４】本発明の実施例２のビューファインダの観察光学系の各収差図であり、（Ａ）は球面収差図、（Ｂ）は非点収差図、（Ｃ）は歪曲収差図、（Ｄ）は倍率色収差図
【図１５】本発明の実施例３の観察光学系のビューファインダの各収差図であり、（Ａ）は球面収差図、（Ｂ）は非点収差図、（Ｃ）は歪曲収差図、（Ｄ）は倍率色収差図
【図１６】本発明の実施例４の観察光学系のビューファインダの各収差図であり、（Ａ）は球面収差図、（Ｂ）は非点収差図、（Ｃ）は歪曲収差図、（Ｄ）は倍率色収差図
【図１７】本発明の実施例５の観察光学系のビューファインダの各収差図であり、（Ａ）は球面収差図、（Ｂ）は非点収差図、（Ｃ）は歪曲収差図、（Ｄ）は倍率色収差図
【図１８】本発明の実施例６の観察光学系のビューファインダの各収差図であり、（Ａ）は球面収差図、（Ｂ）は非点収差図、（Ｃ）は歪曲収差図、（Ｄ）は倍率色収差図
【図１９】本発明の実施例７の観察光学系のビューファインダの各収差図であり、（Ａ）は球面収差図、（Ｂ）は非点収差図、（Ｃ）は歪曲収差図、（Ｄ）は倍率色収差図
【図２０】本発明の実施例８の観察光学系のビューファインダの各収差図であり、（Ａ）は球面収差図、（Ｂ）は非点収差図、（Ｃ）は歪曲収差図、（Ｄ）は倍率色収差図
【図２１】本発明の実施例９の観察光学系のビューファインダの各収差図であり、（Ａ）は球面収差図、（Ｂ）は非点収差図、（Ｃ）は歪曲収差図、（Ｄ）は倍率色収差図
【図２２】本発明の実施例１０の観察光学系のビューファインダの各収差図であり、（Ａ）は球面収差図、（Ｂ）は非点収差図、（Ｃ）は歪曲収差図、（Ｄ）は倍率色収差図
【発明を実施するための形態】
【００２１】
以下、本発明の実施形態について図面を参照しながら詳細に説明する。図１に、本発明の一実施形態にかかるビューファインダ１０の構成を示す。図２に、このビューファインダ１０が搭載される撮像装置の一例としてのカメラ１００の背面側斜視図を示す。
【００２２】
先に、図２を参照しながらカメラ１００の概略構成について説明する。カメラボディの前面および内部に撮影用の撮像レンズ（不図示）を備える。カメラ１００は、カメラボディの内部に本発明の実施形態にかかるビューファインダ１０が配置されており、カメラボディの上部にビューファインダ１０用の観察窓１０１を備える。
【００２３】
また、カメラ１００は、カメラボディの背面に画像や各種設定画面を表示するモニタ１０２と、各種設定を行うための操作ボタン１０３と、変倍を行うためのズームレバー１０４を備え、カメラボディの上面にシャッターボタン１０５を備える。なお、図１に示すカメラ１００はデジタルカメラであるが、本発明はフイルムカメラにも適用可能である。図２では、カメラ１００の厚さ方向を矢印ｔで示し、高さ方向を矢印ｈで示している。
【００２４】
図１に示すビューファインダ１０は、表示部１と、表示部１に表示される情報を拡大してアイポイントＥＰで観察するための観察光学系２を備える。表示部１は、例えば液晶表示素子の表示画面や、視野枠等が形成された表示部材である。表示部１で表示される情報としては例えば、視野枠、測距範囲、測光範囲、絞り値、シャッタースピード、露出、撮影枚数、撮影済みの画像等を挙げることができる。
【００２５】
観察光学系２は、ビューファインダ１０においてルーペと同様の作用をなすものである。観察光学系２は、表示部１からアイポイント側に向かって順に、レンズＬ１、レンズＬ２、レンズＬ３、レンズＬ４、光路折曲部材３、レンズＬ５が配設されて構成されている。
【００２６】
光路折曲部材３は、表示部１からアイポイントＥＰまでの光路を折り曲げて屈曲光学系とするためのものである。図１に示す例の光路折曲部材３は、断面が三角形のプリズムからなる反射部材を用いている。なお、光路折曲部材３は、プリズムに限定されず、光路を折り曲げるものであればよく、例えば、ミラーや同様の機能を有する反射部材を用いることができる。
【００２７】
図１の例では、光路折曲部材３により光路が直角に折り曲げられているが、光路の折り曲げ角度は必ずしも直角に限定されず、ビューファインダ１０が搭載されるカメラの構成に応じて、適宜設定されることが好ましい。
【００２８】
ビューファインダ１０では、光路を折り曲げることにより、コンパクトに構成することが可能となる。図１に示すように、光軸Ｚを含む断面において、ビューファインダ１０が要するスペースは、水平方向においてはｔ１、鉛直方向においてはｈ１となる。
【００２９】
ビューファインダ１０がカメラ１００に搭載される際は、図１に示すｔ１の方向が図２の厚さ方向ｔと一致するように配置される。よって、本実施形態のビューファインダ１０によれば、表示部からアイポイントまでを一直線上に配置したものに比べて、カメラ１００の厚みを非常に薄くすることができる。
【００３０】
また、本実施形態のビューファインダ１０は、最大画角の光束における主光線４、５と表示部１とのなす角度が９０±５度となるように構成されている。かかる構成によれば、表示部１が液晶表示素子の表示画面である場合等、表示部１が角度依存性を有する場合でも、色再現性の低下やシェーディングを抑制でき、良好な像を観察できる。角度依存性を有する表示部１が用いられる場合により良好な像を得るためには、最大画角の光束における主光線４、５と表示部１とのなす角度は、９０±４度とすることがより好ましく、また、９０±３度とすることがさらにより好ましい。
【００３１】
なお、ファインダ装置においては、視度補正を行う機構を備えることが好ましい。本実施形態のビューファインダ１０では、光軸方向に移動することにより視度補正を行う正レンズ群を、表示部１と光路折曲部材３との間に配置するようにしている。図１に示す例においては、負のレンズＬ３と正のレンズＬ４との貼り合わせからなる接合レンズＬＡが上記の視度補正用の正レンズ群に相当する。
【００３２】
従来のファインダでは、視度補正用のレンズを最もアイポイント側に配置したものが多く、そのような構成では視度補正のためにレンズが移動する距離の分だけカメラの厚みが厚くなってしまっていた。これに対して、本実施形態のように視度補正用のレンズ群を表示部１と光路折曲部材３との間に配置することで、光路折曲部材３とアイポイントＥＰとの間に配置した場合に比べて、カメラ１００の厚みを抑制することができる。
【００３３】
なお、視度補正を行う正レンズ群を、正レンズと負レンズの接合レンズとした場合は、視度補正時の色収差の変動を小さくすることができる。また、視度補正を行う正レンズ群を、１組の接合レンズとすることで、一体的に移動させることが容易となる。視度補正用の正レンズ群は、接合されていない１枚のレンズからなるように構成することも可能であり、この場合は、レンズを移動させる駆動系の負荷を小さくでき、装置の小型化、軽量化に貢献することができる。
【００３４】
また、視度補正を行う正レンズ群は、表示部１と光路折曲部材３との間にある正レンズ群のうち、最も光路折曲部材側に配置されているものであることが好ましい。この位置のレンズ群を視度補正に用いることで、少ない移動量で効果的に視度補正を行うことができる。
【００３５】
上記の視度補正を行う正レンズ群の焦点距離をｆｃとし、観察光学系２の焦点距離をｆＬとしたとき、下記条件式（１）を満たすことが好ましい。
１．６０＜ｆｃ／ｆＬ＜２．５０  …  （１）
【００３６】
条件式（１）は、視度補正を行う正レンズ群の焦点距離を観察光学系全系の焦点距離（視度−１の場合）で割った値の好適な範囲を規定するものである。条件式（１）の下限を下回ると、視度補正のために移動する正レンズ群のパワーが強くなりすぎて、視度補正による収差変動、特に像倒れの変動が大きくなる。条件式（１）の上限を上回ると、視度補正のために移動する正レンズ群の移動量が大きくなり、光学系全長の増大を招き、装置の小型化に反してしまう。
【００３７】
また、ビューファインダ１０においては、光路折曲部材３とアイポイントＥＰの間に、光路折曲部材３に対して固定されている１枚の正レンズを有するように構成することが好ましい。光路折曲部材３とアイポイントＥＰの間に少なくとも１枚の正レンズを配置することで、良好な像面特性を得ることができる。
【００３８】
また、この正レンズは固定されているレンズとすれば、移動分の空間が不要であり、このレンズを移動させるための駆動機構が不要になるためカメラ１００の厚みの抑制に貢献できる。図１に示す例では、光路折曲部材３とアイポイントＥＰの間に光路折曲部材３に対して固定されている正のレンズＬ５が配置されている。このように、光路折曲部材３とアイポイントＥＰの間に配置される正レンズを１枚のみとした場合は、装置の小型化と像面特性の両立を図ることができる。
【００３９】
光路折曲部材３とアイポイントＥＰの間に、光路折曲部材３に対して固定されている１枚の正レンズを有する場合、該正レンズの焦点距離をｆｅとし、観察光学系２の焦点距離をｆＬとしたとき、下記条件式（２）を満たすことが好ましい。
１．５＜ｆｅ／ｆＬ＜４．０  …  （２）
【００４０】
条件式（２）は、光路折曲部材３とアイポイントＥＰの間に配置されて光路折曲部材３に対して固定されている１枚の正レンズの焦点距離を観察光学系全系の焦点距離（視度−１の場合）で割った値の好適な範囲を規定するものである。条件式（２）の下限を下回ると、この正レンズのパワーが強くなりすぎて、観察時に眼を振った場合の像の不安定さが増大してしまう。条件式（２）の上限を上回ると、この正レンズのパワーが弱くなりすぎて、光学系全長の増大を招き、装置の小型化に反してしまう。
【００４１】
さらに、ビューファインダ１０においては、最も表示部側のレンズは、表示部側の面よりもアイポイント側の面の方が曲率半径の絶対値が小さいことが好ましい。このように構成することにより、像の中心部から周辺部にわたって視度状態を良好にすることが容易になり、良好な像面特性を得ることができる。
【００４２】
例えば、図１の例において、最も表示部側に配置されたレンズＬ１は、表示部側の面が平面の平凹レンズとなっている。このように、最も表示部側のレンズの表示部側の面を平面とした場合は製造性が高まり、安定して良好な視度状態を確保しやすくなる。また、最も表示部側のレンズのアイポイント側の面を凹面とした場合は、像の中心部から周辺部にわたって視度状態を良好に保つことがより容易になる。
【００４３】
最も表示部側のレンズの焦点距離をｆｏとし、観察光学系２の焦点距離をｆＬとしたとき、下記条件式（３）を満たすことが好ましい。
−１．５＜ｆｏ／ｆＬ＜−０．９５  …  （３）
【００４４】
条件式（３）は、最も表示部側のレンズの焦点距離を観察光学系全系の焦点距離（視度−１の場合）で割った値の好適な範囲を規定するものである。条件式（３）に示すように、最も表示部側のレンズを負レンズとすることが好ましく、この場合は、像の中心部から周辺部にわたって視度状態を良好に保つことがより容易になる。条件式（３）の下限を下回ると、最も表示部側のレンズのパワーが弱くなりすぎて、画角の大きな光束における主光線と表示部１とのなす角度が９０度から外れる量が大きくなり、表示部１が角度依存性を有する素子からなる場合、色再現性やシェーディングの問題が生じる虞がある。条件式（３）の上限を上回ると、アイポイント側において、周辺部の視度が中心部の視度よりオーバーとなってしまう。
【００４５】
また、観察光学系２は、正レンズと負レンズとの貼り合わせからなる接合レンズを含むことが好ましい。これにより、小型化とともに色収差の良好な補正が可能になる。この接合レンズは、前述のように視度補正の際に移動するものであってもよい。あるいは、本発明のビューファインダにおいては、この接合レンズが視度補正の際に固定されているように構成することも可能である。
【００４６】
観察光学系２が、正レンズと負レンズとの貼り合わせからなり、視度補正の際に固定されている移動しない接合レンズを含む場合は、該接合レンズを構成する正レンズ、負レンズのｄ線に関するアッベ数をそれぞれνｐｋ、νｎｋとし、この接合レンズの接合面の曲率半径の絶対値をＲｃｋとし、観察光学系２の焦点距離をｆＬとしたとき、下記条件式（４）を満たすことが好ましい。
２５＜（νｐｋ−νｎｋ）／（Ｒｃｋ／ｆＬ）＜４０  …  （４）
【００４７】
条件式（４）は、視度補正の際に固定されている接合レンズの色消し度合いの好適な範囲を規定するものである。条件式（４）の下限を下回ると、色収差の補正不足となり、条件式（４）の上限を上回ると、色収差の補正過剰となる。
【００４８】
観察光学系２が、正レンズと負レンズとの貼り合わせからなり、視度補正の際に移動する接合レンズを含む場合は、該接合レンズを構成する正レンズ、負レンズのｄ線に関するアッベ数をそれぞれνｐｓ、νｎｓとし、この接合レンズの接合面の曲率半径の絶対値をＲｃｓとし、観察光学系２の焦点距離をｆＬとしたとき、下記条件式（５）を満たすことが好ましい。
４０＜（νｐｓ−νｎｓ）／（Ｒｃｓ／ｆＬ）＜５０  …  （５）
【００４９】
条件式（５）は、視度補正の際に移動する接合レンズの色消し度合いの好適な範囲を規定するものである。条件式（５）の下限を下回ると、色収差の補正不足となり、条件式（５）の上限を上回ると、色収差の補正過剰となる。
【００５０】
次に、本発明のビューファインダの数値実施例について説明する。実施例１〜１０のビューファインダの構成を示すための断面図をそれぞれ図３〜図１２に示す。実施例１〜１０全て屈曲光学系をなすものであり、実施例１、３〜５、７〜９は光路折曲部材としてプリズム３Ｐを用いており、実施例２、６、１０は光路折曲部材としてミラー３Ｍを用いている。ただし、図３〜図１２では折り曲げ光路を展開した図を示している。また、図３〜図１２に示す例では、情報が表示される領域が矩形形状の表示部１を想定しており、この矩形の短辺、長辺、対角線それぞれの半分の長さをいわば表示部１における物体高とした場合の光束と、表示部１の中心からの光束を、理解を容易にするために同一平面上に描いている。なお、図４、図８、図１２に示すミラー３Ｍの寸法と位置は必ずしも実際のものと厳密に一致するとは限らない。表示部１の情報が表示される矩形形状の短辺、長辺方向に合わせて、ミラー３Ｍにより折り曲げる光路の方向を適宜設定することが好ましく、例えば、ミラー３Ｍの一方向の寸法は、上記矩形の短辺の半分に対応する光束の光線高に基づき決めるようにしてもよい。
【００５１】
実施例１〜１０全て、レンズ系はレンズＬ１〜Ｌ５の５枚のレンズから構成されている。実施例１〜３では、レンズＬ２とレンズＬ３からなる接合レンズは視度補正の際に固定されており、単レンズのレンズＬ４を光軸方向に移動させて視度補正を行うように構成されている。実施例４〜１０では、負のレンズＬ３と正のレンズＬ４からなる接合レンズを光軸方向に移動させて視度補正を行うように構成されている。
【００５２】
各実施例において、断面図の符号Ｒｉ（ｉ＝１、２、３、…）は以下に説明するレンズデータのＲｉと対応している。以下の実施例１において説明するレンズデータや収差図の表記方法は、その他の実施例においても同様であるため、重複説明を省略する。
【００５３】
実施例１〜１０のビューファインダのレンズデータをそれぞれ表１〜表１０に示す。レンズデータの表において、Ｓｉの欄は最も表示部側の構成要素の表示部側の面を１番目としてアイポイント側に向かうに従い順次増加するｉ番目（ｉ＝１、２、３、…）の面番号を示し、Ｒｉの欄はｉ番目の面の曲率半径を示し、Ｄｉの欄はｉ番目の面とｉ＋１番目の面との光軸Ｚ上の面間隔を示し、Ｎｄｊの欄は最も物体側の光学要素を１番目として像側に向かうに従い順次増加するｊ番目（ｊ＝１、２、３、…）の光学要素のｄ線（波長５８７．６ｎｍ）に対する屈折率を示し、νｄｊの欄はｊ番目の光学要素のｄ線に対するアッベ数を示している。なお、曲率半径の符号は、面形状が表示部側に凸の場合を正、アイポイント側に凸の場合を負としている。
【００５４】
実施例１、３〜５、７〜９では光路折曲部材のプリズムを平行平面板として扱ってレンズデータに記載しており、実施例２、６、１０ではレンズデータにおける光路折曲部材のミラーの記載は省略している。表１〜１０右側欄外に、レンズＬ１から表示部までの光軸上の距離を物体距離、レンズＬ５からアイポイントＥＰまでの光軸上の距離をアイレリーフとして記載している。レンズデータにおける曲率半径および面間隔の単位としては、ここでは「ｍｍ」を用いている。以下に記載する各表の数値は所定の桁でまるめたものである。
【００５５】
【表１】
2012086160.tif 000003
【００５６】
【表２】
2012086160.tif 000004
【００５７】
【表３】
2012086160.tif 000005
【００５８】
【表４】
2012086160.tif 000006
【００５９】
【表５】
2012086160.tif 000007
【００６０】
【表６】
2012086160.tif 000008
【００６１】
【表７】
2012086160.tif 000009
【００６２】
【表８】
2012086160.tif 000010
【００６３】
【表９】
2012086160.tif 000011
【００６４】
【表１０】
2012086160.tif 000012
【００６５】
上記実施例１〜１０のビューファインダの各収差図をそれぞれ、図１３（Ａ）〜図１３（Ｄ）、図１４（Ａ）〜図１４（Ｄ）、図１５（Ａ）〜図１５（Ｄ）、図１６（Ａ）〜図１６（Ｄ）、図１７（Ａ）〜図１７（Ｄ）、図１８（Ａ）〜図１８（Ｄ）、図１９（Ａ）〜図１９（Ｄ）、図２０（Ａ）〜図２０（Ｄ）、図２１（Ａ）〜図２１（Ｄ）、図２２（Ａ）〜図２２（Ｄ）に示す。
【００６６】
ここでは、実施例１の収差図を例にとり説明するが、他の実施例の収差図についても同様である。図１３（Ａ）、図１３（Ｂ）、図１３（Ｃ）、図１３（Ｄ）はそれぞれ、実施例１ビューファインダの球面収差、非点収差、ディストーション（歪曲収差）、倍率色収差（倍率の色収差）の収差図を示すものである。各収差図はｄ線を基準としたものである。球面収差図と倍率色収差図にはＦ線（波長４８６．１ｎｍ）、Ｃ線（波長６５６．３ｎｍ）に関する収差も示す。非点収差図にはサジタル方向の収差を実線で、タンジェンシャル方向の収差を点線で示している。
【００６７】
球面収差図の縦軸の上には収差図を計算する際の瞳径（単位はｍｍ）を記載している。すなわち、図１３（Ａ）は、瞳径φ３．５ｍｍの場合の球面収差を示すものである。非点収差図、歪曲収差図、倍率色収差図の縦軸は、主光線の光軸に対する射出角度であり、これらの図の縦軸の上には最大の射出角度を記載している。球面収差図、非点収差図の横軸は、視度表示であり、単位のＤはディオプターである。倍率色収差図の横軸は、角度であり、単位は分である。
【００６８】
表１１に、実施例１〜１０における、最大画角の光束における主光線と表示部１とのなす角度θと、条件式（１）〜（５）に関する各値と、条件式（１）〜（５）の対応値を示す。なお、角度θは、表示部１からアイポイントＥＰへ向かう方向に上記主光線を見たとき、この主光線が表示部１の垂線と同一方向の場合は９０度、この主光線が表示部１の垂線より中心側へ入る場合は９０度より小さな値、この主光線が表示部１の垂線より周辺側へ向かう場合は９０度より大きな値をとるものとして表記している。表１１の値はｄ線におけるものである。
【表１１】
2012086160.tif 000013
【００６９】
以上、実施形態および実施例を挙げて本発明を説明したが、本発明は上記実施形態および実施例に限定されず、種々の変形が可能である。例えば、各レンズ成分の曲率半径、面間隔、屈折率、アッベ数等の値は、上記各数値実施例で示した値に限定されず、他の値をとり得るものである。
【図１】
2012086160.tif 000014
【図２】
2012086160.tif 000015
【図３】
2012086160.tif 000016
【図４】
2012086160.tif 000017
【図５】
2012086160.tif 000018
【図６】
2012086160.tif 000019
【図７】
2012086160.tif 000020
【図８】
2012086160.tif 000021
【図９】
2012086160.tif 000022
【図１０】
2012086160.tif 000023
【図１１】
2012086160.tif 000024
【図１２】
2012086160.tif 000025
【図１３】
2012086160.tif 000026
【図１４】
2012086160.tif 000027
【図１５】
2012086160.tif 000028
【図１６】
2012086160.tif 000029
【図１７】
2012086160.tif 000030
【図１８】
2012086160.tif 000031
【図１９】
2012086160.tif 000032
【図２０】
2012086160.tif 000033
【図２１】
2012086160.tif 000034
【図２２】
2012086160.tif 000035
【手続補正書】
【提出日】平成26年2月4日(2014.2.4)
【手続補正１】
【補正対象書類名】特許請求の範囲
【補正対象項目名】全文
【補正方法】変更
【補正の内容】
【特許請求の範囲】
【請求項１】
表示部に表示される情報を拡大して観察するための観察光学系を備えたビューファインダにおいて、
前記観察光学系が光路を折り曲げる光路折曲部材を有し、
最大画角の主光線と前記表示部とのなす角度が９０±５度であり、
前記表示部と前記光路折曲部材との間に、光軸方向に移動することにより視度補正を行う正レンズ群を有し、
前記正レンズ群の焦点距離をｆｃとし、前記観察光学系の焦点距離をｆＬとしたとき、下記条件式（１）を満たすことを特徴とするビューファインダ。
１．６０＜ｆｃ／ｆＬ＜２．５０  …  （１）
【請求項２】
前記光路折曲部材よりアイポイント側に前記光路折曲部材に対して固定されている１枚の正レンズを有し、
該正レンズの焦点距離をｆｅとし、前記観察光学系の焦点距離をｆＬとしたとき、下記条件式（２）を満たすことを特徴とする請求項１記載のビューファインダ。
１．５＜ｆｅ／ｆＬ＜４．０  …  （２）
【請求項３】
前記観察光学系における最も表示部側のレンズは、表示部側の面よりもアイポイント側の面の方が曲率半径の絶対値が小さく、
前記最も表示部側のレンズの焦点距離をｆｏとし、前記観察光学系の焦点距離をｆＬとしたとき、下記条件式（３）を満たすことを特徴とする請求項１または２記載のビューファインダ。
−１．５＜ｆｏ／ｆＬ＜−０．９５  …  （３）
【請求項４】
正レンズと負レンズとの貼り合わせからなり、視度補正の際に固定されている接合レンズを有し、
該接合レンズを構成する前記正レンズ、負レンズのｄ線に関するアッベ数をそれぞれνｐｋ、νｎｋとし、前記接合レンズの接合面の曲率半径の絶対値をＲｃｋとし、前記観察光学系の焦点距離をｆＬとしたとき、下記条件式（４）を満たすことを特徴とする請求項１から３のいずれか１項記載のビューファインダ。
２５＜（νｐｋ−νｎｋ）／（Ｒｃｋ／ｆＬ）＜４０  …  （４）
【請求項５】
正レンズと負レンズとの貼り合わせからなり、視度補正の際に移動する接合レンズを有し、
該接合レンズを構成する前記正レンズ、負レンズのｄ線に関するアッベ数をそれぞれνｐｓ、νｎｓとし、前記接合レンズの接合面の曲率半径の絶対値をＲｃｓとし、前記観察光学系の焦点距離をｆＬとしたとき、下記条件式（５）を満たすことを特徴とする請求項１から３のいずれか１項記載のビューファインダ。
４０＜（νｐｓ−νｎｓ）／（Ｒｃｓ／ｆＬ）＜５０  …  （５）
【請求項６】
請求項１から５のいずれか１項に記載のビューファインダを備えたことを特徴とするカメラ。
【手続補正２】
【補正対象書類名】明細書
【補正対象項目名】０００６
【補正方法】変更
【補正の内容】
【０００６】
本発明のビューファインダは、表示部に表示される情報を拡大して観察するための観察光学系を備えたビューファインダにおいて、観察光学系が光路を折り曲げる光路折曲部材を有し、最大画角の主光線と表示部とのなす角度が９０±５度であり、表示部と光路折曲部材との間に、光軸方向に移動することにより視度補正を行う正レンズ群を有し、正レンズ群の焦点距離をｆｃとし、観察光学系の焦点距離をｆＬとしたとき、下記条件式（１）を満たすことを特徴とするものである。
１．６０＜ｆｃ／ｆＬ＜２．５０  …  （１）
【手続補正３】
【補正対象書類名】明細書
【補正対象項目名】０００９
【補正方法】削除
【補正の内容】
【手続補正４】
【補正対象書類名】明細書
【補正対象項目名】００２０
【補正方法】変更
【補正の内容】
【００２０】
【図１】本発明の第１の実施形態のビューファインダの構成を示す断面図
【図２】本発明の実施形態にかかるカメラの概略構成を示す斜視図
【図３】本発明の実施例１のビューファインダの構成を示す断面図
【図４】本発明の実施例２のビューファインダの構成を示す断面図
【図５】本発明の実施例３のビューファインダの構成を示す断面図
【図６】本発明の実施例４のビューファインダの構成を示す断面図
【図７】本発明の実施例５のビューファインダの構成を示す断面図
【図８】本発明の実施例６のビューファインダの構成を示す断面図
【図９】本発明の実施例７のビューファインダの構成を示す断面図
【図１０】本発明の実施例８のビューファインダの構成を示す断面図
【図１１】本発明の実施例９のビューファインダの構成を示す断面図
【図１２】本発明の実施例１０のビューファインダの構成を示す断面図
【図１３】本発明の実施例１のビューファインダの各収差図であり、（Ａ）は球面収差図、（Ｂ）は非点収差図、（Ｃ）は歪曲収差図、（Ｄ）は倍率色収差図
【図１４】本発明の実施例２のビューファインダの各収差図であり、（Ａ）は球面収差図、（Ｂ）は非点収差図、（Ｃ）は歪曲収差図、（Ｄ）は倍率色収差図
【図１５】本発明の実施例３のビューファインダの各収差図であり、（Ａ）は球面収差図、（Ｂ）は非点収差図、（Ｃ）は歪曲収差図、（Ｄ）は倍率色収差図
【図１６】本発明の実施例４のビューファインダの各収差図であり、（Ａ）は球面収差図、（Ｂ）は非点収差図、（Ｃ）は歪曲収差図、（Ｄ）は倍率色収差図
【図１７】本発明の実施例５のビューファインダの各収差図であり、（Ａ）は球面収差図、（Ｂ）は非点収差図、（Ｃ）は歪曲収差図、（Ｄ）は倍率色収差図
【図１８】本発明の実施例６のビューファインダの各収差図であり、（Ａ）は球面収差図、（Ｂ）は非点収差図、（Ｃ）は歪曲収差図、（Ｄ）は倍率色収差図
【図１９】本発明の実施例７のビューファインダの各収差図であり、（Ａ）は球面収差図、（Ｂ）は非点収差図、（Ｃ）は歪曲収差図、（Ｄ）は倍率色収差図
【図２０】本発明の実施例８のビューファインダの各収差図であり、（Ａ）は球面収差図、（Ｂ）は非点収差図、（Ｃ）は歪曲収差図、（Ｄ）は倍率色収差図
【図２１】本発明の実施例９のビューファインダの各収差図であり、（Ａ）は球面収差図、（Ｂ）は非点収差図、（Ｃ）は歪曲収差図、（Ｄ）は倍率色収差図
【図２２】本発明の実施例１０のビューファインダの各収差図であり、（Ａ）は球面収差図、（Ｂ）は非点収差図、（Ｃ）は歪曲収差図、（Ｄ）は倍率色収差図
【国際調査報告】
2012086160.tif 000036
2012086160.tif 000037
2012086160.tif 000038
2012086160.tif 000039